(57)【要約】【目的】ネックストラップが首に食い込まないようにすると共に、接続された身分証明書などが裏返しにならないようにする。【構成】雄部材（４）と雌部材（５）からなる連結具（２）と、紐（３）と、からなるネックストラップ（１）である。前記雄部材（４）は、ピン（４３）を有する先端部（４１）及び紐と連結される基部（４２）を有する。前記雌部材（５）は、前記ピンを収容するピン収容部（５３）を有する先端部（５１）及び紐と連結される基部（５２）を有する。前記ピン（４３）及びピン収容部（５３）は上下方向に非対称であり、ピンの長い方が長い方のピン収容部と係合し、ピンの短い方が短い方のピン収容部と係合するように構成するのが好ましい。前記連結具は着用者の首に接触しない位置に設けるのが好ましい。【選択図】　図３
2004057425.tif 000002
【特許請求の範囲】
【請求項１】
雄部材（４）と雌部材（５）からなる連結具（２）と、紐（３）と、からなるネックストラップ（１）であって、
前記雄部材（４）は、ピン（４３）を有する先端部（４１）及び紐（３）と連結される基部（４２）を有し、
前記雌部材（５）は、前記ピン（４３）を収容するピン収容部（５３）を有する先端部（５１）及び紐（３）と連結される基部（５２）を有する
ことを特徴とするネックストラップ。
【請求項２】
前記ピン（４３）及びピン収容部（５３）は上下方向に非対称であり、ピンの長い方（４３ｂ）が長い方のピン収容部（５３ｂ）と係合し、ピンの短い方（４３ａ）が短い方のピン収容部（５３ａ）と係合する請求項１記載のネックストラップ。
【請求項３】
前記雄部材（４）と前記雌部材（５）がピン（４３）を支点として回動自在である請求項１記載のネックストラップ。
【請求項４】
前記連結具（２）が着用者の首に接触しない位置に設けられた請求項１記載のネックストラップ。
【請求項５】
同一形状の第１部材（６ａ）と第２部材（６ｂ）からなる連結具（２Ａ）と、紐（３Ａ）とからなるネックストラップであって、
前記第１部材（６ａ）は、第１ピン（６３ａ）を有すると共に、第２ピンを収容するピン収容部（６４ａ）をも有する先端部（６１ａ）と、紐（３Ａ）と連結される基部（６２ａ）を有し、
前記第２部材（６ｂ）は、第２ピン（６３ｂ）を有すると共に、第１ピン（６３ａ）を収容するピン収容部（６４ｂ）をも有する先端部（６１ｂ）と、紐（３Ａ）と連結される基部（６４ｂ）を有する
ことを特徴とするネックストラップ。
【発明の詳細な説明】
【０００１】
【発明の属する技術分野】
本発明はネックストラップ、特に、一定以上の荷重がかかったとき、自動的に係合が外れるようなネックストラップに関する。
【０００２】
【従来の技術】
ネックストラップは身分証明書などを提示するために首に掛ける吊り紐である。これを使用することにより、不測の事態、例えばエレベータのドアにネックストラップの一部が挟まれたときには首吊り状態となる危険がある。これを避けるために、一定以上の荷重がかかったとき、自動的にネックストラップの係合が外れるようにした連結具が開発されている。
【０００３】
【発明が解決しようとする課題】
従来のネックストラップの連結具には次のような問題点がある。
（１）従来のネックストラップの連結具は着用者の後頭部側の首に位置しているので、前記のような荷重がかかったときには首に食い込む力となって現れ、一時的にせよ痛みを伴う。
（２）従来のネックストラップの連結具は雌雄各部材が上下対称となっているため、１８０°回転させても係合可能である。そのため、本来の方向と逆方向に係合させれば、ネックストラップに接続された身分証明書などが裏返しになってしまうことがある。
（３）従来のネックストラップの連結具は雌雄各部材が一直線になっていてフレキシブルでないので、曲線に沿わせるようなことができない。
【０００４】
本発明は上記のような欠点を取り除いた新規なネックストラップを提供することを目的とする。
【０００５】
【課題を解決するための手段】
本願第１発明のネックストラップは、雄部材と雌部材からなる連結具と、紐とからなるネックストラップであって、前記雄部材は、ピンを有する先端部及び紐と連結される基部を有し、前記雌部材は、前記ピンを収容するピン収容部を有する先端部及び紐と連結される基部を有することを特徴とする。
【０００６】
本願第２発明のネックストラップは、同一形状の第１部材と第２部材からなる連結具と、紐とからなるネックストラップであって、前記第１部材は、第１ピンを有すると共に、第２ピンを収容するピン収容部をも有する先端部と、紐と連結される基部を有し、前記第２部材は、第２ピンを有すると共に、第１ピンを収容するピン収容部をも有する先端部と、紐と連結される基部を有することを特徴とする。
【０００７】
【発明の実施の態様】
紐にはロープ状のものやテープ状のものが含まれる。製造方法も組紐、編紐、織紐が含まれる。紐と基部の固定には、基部に設けられた溝に紐を通した後で蓋をする方法、固定部に孔をあけて紐を通す方法、紐を樹脂固定部で埋設する方法等がある。
【０００８】
前記ピン及びピン収容部は上下方向に非対称とすることが好ましい。ピンの長い方を長い方のピン収容部と係合させ、ピンの短い方を短い方のピン収容部と係合させれば、ネックストラップに接続された身分証明書などが裏返しになることはない。
【０００９】
本発明のネックストラップは前記雄（第１）部材と前記雌（第２）部材がピンを支点として回動自在であるようにすることが好ましい。そのようにすることで、前記雄（第１）部材と前記雌（第２）部材を係合させたとき、一直線にはならず、自然な湾曲が得られる。
【００１０】
本発明のネックストラップでは、前記連結具は着用者の首に接触しない位置に設けるのが好ましい。そのようにすることで、異常な荷重がかかったときでも首に食い込むことがない。
【００１１】
【実施例】
以下、添付の図面に基づいて本発明の実施例を説明する。
【００１２】
＜第１実施例＞
図１は本発明第１実施例のネックストラップ１の斜視図である。図の下側の取付具７に身分証明書などが接続され、図の上側８が着用者の後頭部側の首に当たる部分である。本発明では連結具２は紐３の首に接触しない位置に設けられる。例えば、左右いずれかの中間部分の位置である。
【００１３】
図２は本発明に係る連結具２の連結状態の斜視図であり、図３は分解斜視図である。図２から分かるように、連結具２の係合部は、雄部材４側がピン４３であり、雌部材５側はそのピンの収容部５３である。
【００１４】
雄部材４（図２，図３の右側）は、先端部４１と基部４２からなり、基部４２において紐（テープ）３を間に挟んで固定する。
【００１５】
先端部４１はピン４３を有し、ピンの両端を受部４４で支持している。受部の長さが異なるため、ピン４３の長さは平面から見たとき（４３ａ）（図４（ｂ））の方が底面から見たとき（４３ｂ）（図４（ｃ））よりも短い。基部４２の大部分はテープ３を収容する浅い溝４５であり、両側部４６が立ち上がっている。溝４５の底部にはテープ３に食い込む突起４７が６個突出している。蓋部４８は、両側部４８ａと、前記基部両側部４６にはまり合うスロット４９を有する。
【００１６】
雌部材５（図２，図３の左側）も先端部５１と基部５２からなり、基部５２においてストラップテープ３を間に挟んで固定する。
【００１７】
先端部５１はピン収容部５３を有する。ピン収容部５３の長さは平面から見たとき（５３ａ）（図５（ｂ））の方が底面から見たとき（５３ｂ）（図５（ｃ））よりも短い。基部５２の大部分はテープ３を収容する浅い溝５４であり、両側部５５が立ち上がっている。溝５４の底部にはテープ３に食い込む突起５６が６個突出している。蓋部５７は、両側部５７ａと、前記基部両側部５５にはまり合うスロット５８を有する。
【００１８】
雄部材のピン４３と雌部材のピン収容部５３とは、ピンの長い方４３ｂが長い方のピン収容部５３ｂと係合し、ピンの短い方４３ａが短い方のピン収容部５３ａと係合する。従って、雌雄部材４，５は上下方向において係合の方向性を有する。
【００１９】
この実施例では雄部材の基部４２と蓋部４８及び雌部材の基部５２と蓋部５７は別体となっているが、折り畳んで係合が可能なものであれば一体のものとしてもよい。
【００２０】
係合及び係合の解除は、左右の手にそれぞれ雄部材４又は雌部材５を持ち、雌雄部材の方向性を考慮しながらピン４３をピン収容部５３に押しつけて係合し、引き離して係合を解除する。異常負荷がかかる突発事故では負荷による力により雌雄部材４，５は自動的に係合が解除される。
【００２１】
＜第２実施例＞
図７は本発明第２実施例のネックストラップの斜視図である。この実施例では、第１実施例における連結具２Ａの雌雄部材が同一形状である。
【００２２】
各部材６（６ａ，６ｂ）は、先端部６１（６１ａ，６１ｂ）と基部６２（６２ａ，６２ｂ）からなり、基部６２（６２ａ，６２ｂ）においてストラップテープ３Ａを間に挟んで固定する。各部材の先端部６１（６１ａ，６１ｂ）はピン６３（６３ａ，６３ｂ）を有すると共に、ピン６３（６３ａ，６３ｂ）を収容するピン収容部６４（６４ａ，６４ｂ）をも有する。基部６２（６２ａ，６２ｂ）は樹脂からなり、テープ３Ａを埋め込んでいる。
【００２３】
係合時には、第１部材のピン６３ａと第２部材のピン収容部６４ｂが係合し、第２部材のピン６３ｂと第１部材のピン収容部６４ａが係合する。
【００２４】
その他、第２実施例として明記しない構成点は第１実施例と同様である。
【００２５】
【発明の効果】
本願第１、第２実施例によれば、次の効果が得られる。
（１）従来のネックストラップの連結具は着用者の後頭部側の首に位置しているので、前記のような荷重がかかったときには首に食い込む力となって現れるが、本発明では連結具が首に接触しないのでこの問題は解決された。
（２）従来のネックストラップの連結具は雌雄各部材が一直線になっているので、自然な曲線に沿わせることができなかったが、本発明ではピンを支点として回動可能であるので、この問題も解決された。
【００２６】
従来のネックストラップの連結具は、本来の方向と逆方向に係合させれば、ネックストラップに接続された身分証明書などが裏返しになってしまうことがあったが、本願第１発明によれば、上下が非対称なので、本来の方向と逆方向に係合させることができない。
【００２７】
さらに、本願第２発明によれば、雌雄部材が同一形状なので、製造金型も１つで済む。したがって、製造コストの削減に貢献することができる。
【図面の簡単な説明】
【図１】本発明のネックストラップの斜視図である。
【図２】本発明第１実施例の連結部材の斜視図である。
【図３】第２図の分解斜視図である。
【図４】雄部材の（ａ）正面図、（ｂ）平面図、（ｃ）側面図、（ｄ）底面図である。
【図５】雌部材の（ａ）正面図、（ｂ）平面図、（ｃ）側面図、（ｄ）底面図である。
【図６】蓋部材（雄部材、雌部材共通）の（ａ）正面図、（ｂ）平面図、（ｃ）側面図、（ｄ）底面図である。
【図７】本発明第２実施例の連結部材の斜視図である。
【符号の説明】
１　　　　　　　ネックストラップ
２，２Ａ　連結具
３，３Ａ　ストラップテープ
４　　　　　　　雄部材
５　　　　　　　雌部材
４１　　　　　先端部
４２　　　　　基部
４３　　　　　ピン
４３ａ　　　ピンの長い方
４３ｂ　　　ピンの短い方
４４　　　　　受部
４５　　　　　溝
４６　　　　　基部両側部
４７　　　　　突起
４８　　　　　蓋部
５１　　　　　先端部
５２　　　　　基部
５３　　　　　ピン収容部
５３ａ　　　ピン収容部の長い方
５３ｂ　　　ピン収容部の短い方
５４　　　　　溝
５５　　　　　基部両側部
５５　　　　　両側部
５６　　　　　突起
５７　　　　　蓋部
６（６ａ，６ｂ）　　雌雄同一部材
６１　　　　　先端部
６２　　　　　基部
６３　　　　　ピン
６３ａ　　　第１部材のピン
６３ｂ　　　第２部材のピン
６４　　　　　ピン収容部
６４ａ　　　第１部材のピン収容部
６４ｂ　　　第２部材のピン収容部
【図１】
2004057425.tif 000003
【図２】
2004057425.tif 000004
【図３】
2004057425.tif 000005
【図４】
2004057425.tif 000006
【図５】
2004057425.tif 000007
【図６】
2004057425.tif 000008
【図７】
2004057425.tif 000009